(57)【要約】【課題】本考案は、ネクタイの結び目部分を体裁よく納め、且つ、装飾的、アクセサリー的効果をも発揮し得るネクタイ用の装着補助具を提供する。【解決手段】本考案の装飾装着具は、装飾用材料を用いて、ネクタイの結び目部分の該当位置の正面外周を覆いネクタイの垂下部分が挿通可能な開口を有する正面包囲部２ａと、ネクタイの結び目部分の該当位置の両側部を覆いこの両側部が挿通可能な両側開口を有する両側包囲部２ｂ、２ｃと、ネクタイの結び目部分の該当位置の上部を覆う上部包囲部２ｃとを、全体としてＹ状で正面側に膨出する形状に一体形成したことを特徴とするものである。【選択図】図１
0003102673.tif 000002
【実用新案登録請求の範囲】
【請求項１】
装飾用材料を用いて、ネクタイの結び目部分の該当位置の正面外周を覆うような形状に形成したことを特徴とするネクタイ用の装飾装着具。
【請求項２】
装飾用材料を用いて、ネクタイの結び目部分の該当位置の正面外周を覆いネクタイの垂下部分が挿通可能な開口を有する正面包囲部と、ネクタイの結び目部分の該当位置の両側部を覆いこの両側部が挿通可能な両側開口を有する両側包囲部と、ネクタイの結び目部分の該当位置の上部を覆う上部包囲部とを、全体としてＹ状で正面側に膨出する形状に一体形成したことを特徴とするネクタイ用の装飾装着具。
【請求項３】
貴金属材料又は貴金属メッキを施した金属材料を用いて、ネクタイの結び目部分の該当位置の正面外周を覆いネクタイの垂下部分が挿通可能な開口を有する正面包囲部と、ネクタイの結び目部分の該当位置の両側部を覆いこの両側部が挿通可能な両側開口を有する両側包囲部と、ネクタイの結び目部分の該当位置の上部を覆う上部包囲部とを、全体としてＹ状で正面側に膨出する形状に一体形成したことを特徴とするネクタイ用の装飾装着具。
【請求項４】
木製材料、合成樹脂材料又は皮革材料から選ばれる材料を用いて、ネクタイの結び目部分の正面外周を覆いネクタイの垂下部分が挿通可能な開口を有する正面包囲部と、ネクタイの結び目部分の両側部を覆いこの両側部が挿通可能な両側開口を有する両側包囲部と、ネクタイの結び目部分の上部を覆う上部包囲部とを、全体としてＹ状で正面側に膨出する形状に一体形成したことを特徴とするネクタイ用の装飾装着具。
【請求項５】
前記装飾装着具自体の正面の任意の位置に真珠等の装飾付加具を取り付けたことを特徴とする請求項１乃至４のいずれかに記載のネクタイ用の装飾装着具。
【考案の詳細な説明】
【技術分野】
【０００１】
本考案は、ネクタイの結び目に装着したり、またネクタイの結び目に代替して装着したりして好適なネクタイ用の装飾装着具に関するものである。
【背景技術】
【０００２】
ネクタイの着用者がネクタイを首回りに装着する場合に、特に不慣れな場合には結び目部分を体裁よく納めることは中々難しいのが実情である。
このため、従来においても種々の装着補助具が提案されている。
【０００３】
例えば、特許文献１には、針金を用い、ネクタイの通し穴部、紐通し穴部を有する三角形状に形成したネクタイ装着補助具が提案されている。
【０００４】
しかし、この特許文献１のネクタイ装着補助具の場合、主としてネクタイの結び目の形状保持を目的とするものであり、装飾的、アクセサリー的効果は皆無である。
【特許文献１】特開平１０−１７３号公報
【考案の開示】
【考案が解決しようとする課題】
【０００５】
解決しようとする問題点は、ネクタイの結び目部分を体裁よく納め、またネクタイの結び目に代替して装着し体裁よく納め、且つ、装飾的、アクセサリー的効果をも発揮し得るネクタイ装着補助具が存在しない点である。
【課題を解決するための手段】
【０００６】
本考案のネクタイ用の装飾装着具は、装飾用材料を用いて、ネクタイの結び目部分の該当位置の正面外周を覆うような形状に形成したことを最も主要な特徴とする。
【０００７】
また、請求項２記載の考案のネクタイ用の装飾装着具は、装飾用材料を用いて、ネクタイの結び目部分の該当位置の正面外周を覆いネクタイの垂下部分が挿通可能な開口を有する正面包囲部と、ネクタイの結び目部分の該当位置の両側部を覆いこの両側部が挿通可能な両側開口を有する両側包囲部と、ネクタイの結び目部分の該当位置の上部を覆う上部包囲部とを、全体としてＹ状で正面側に膨出する形状に一体形成したことを特徴とする。
【０００８】
請求項３記載の考案のネクタイ用の装飾装着具は、貴金属材料又は貴金属メッキを施した金属材料を用いて、ネクタイの結び目部分の該当位置の正面外周を覆いネクタイの垂下部分が挿通可能な開口を有する正面包囲部と、ネクタイの結び目部分の該当位置の両側部を覆いこの両側部が挿通可能な両側開口を有する両側包囲部と、ネクタイの結び目部分の該当位置の上部を覆う上部包囲部とを、全体としてＹ状で正面側に膨出する形状に一体形成したことを特徴とする。
【０００９】
請求項４記載の考案のネクタイ用の装飾装着具は、木製材料、合成樹脂材料又は皮革材料から選ばれる材料を用いて、ネクタイの結び目部分の正面外周を覆いネクタイの垂下部分が挿通可能な開口を有する正面包囲部と、ネクタイの結び目部分の両側部を覆いこの両側部が挿通可能な両側開口を有する両側包囲部と、ネクタイの結び目部分の上部を覆う上部包囲部とを、全体としてＹ状で正面側に膨出する形状に一体形成したことを特徴とする。更に、請求項５記載の考案は、請求項１乃至４のいずれかに記載のネクタイ用の装飾装着具において、前記装飾装着具自体の正面の任意の位置に真珠等の装飾付加具を取り付けたことを特徴とする。
【考案の効果】
【００１０】
本考案によれば、ネクタイの結び目部分の該当位置を体裁よく内部に納め、且つ、装飾的、アクセサリー的効果をも発揮させることができる。
そして、ネクタイの着用者がネクタイの結び目を形成するか否かを問わず、仮にネクタイの着用者がネクタイの結び目を形成しないような場合であっても、ネクタイの結び目部分の該当位置を体裁よく内部に納め、且つ、装飾的、アクセサリー的効果をも発揮させることができる。
【００１１】
請求項２、３記載の考案によれば、装飾用材料、すなわち、貴金属材料又は貴金属メッキを施した金属材料を用いて、ネクタイの結び目部分の該当位置の正面外周を覆う正面包囲部、両側部を覆う両側包囲部、結び目部分の該当位置の上部を覆う上部包囲部を、全体としてＹ状で正面側に膨出する形状に一体形成したものであるから、ネクタイの結び目部分の該当位置全体を完全に内部に納め、且つ、装飾的、アクセサリー的効果をも発揮させることができる。更に、請求項４記載の考案によれば、装飾装着具自体として木製材料、合成樹脂材料又は皮革材料を用いた構成で、請求項２、３記載の考案と同様ネクタイの結び目部分全体を完全に内部に納め、且つ、装飾的、アクセサリー的効果をも発揮させることができる。
【００１２】
更に、請求項４記載の考案によれば、装飾装着具自体の正面の任意の位置に真珠等の装飾付加具を取り付けた構成とすることにより、装飾装着具自体の装飾効果と真珠等の装飾付加具の装飾効果とを相乗させ、一層装飾的、アクセサリー的効果を高めることが可能となる。
【考案を実施するための最良の形態】
【００１３】
ネクタイの結び目部分の該当位置を体裁よく納め、且つ、装飾的、アクセサリー的効果をも発揮させるという目的を、貴金属材料又は貴金属メッキを施した金属材料を用いて、ネクタイの結び目部分の該当位置の正面外周を覆いネクタイの垂下部分が挿通可能な開口を有する正面包囲部と、ネクタイの結び目部分の該当位置の両側部を覆いこの両側部が挿通可能な両側開口を有する両側包囲部と、ネクタイの結び目部分の該当位置の上部を覆う上部包囲部とを、全体としてＹ状で正面側に膨出する形状に一体形成し、正面包囲部、両側包囲部及び上部包囲部によって、ネクタイの結び目の正面、両側部、上部を完全に包囲し、体裁よく且つ装飾的、アクセサリー的効果を発揮させることで実現した。
【実施例】
【００１４】
以下に、本考案の実施例を詳細に説明する。
図１乃至図３は本実施例のネクタイ用の装飾装着具１を示すものであり、このネクタイ装飾装着具１は、例えば金、銀等の貴金属材料又は貴金属メッキを施した金属材料、更には光沢のあるステンレス等の金属材料を用いて、全体としてＹ状で正面側に膨出する形状に一体形成している。この他、ネクタイ装飾装着具１としては、例えば木目部分を表出させた木製材料又は、ポリエステル、エポキシ樹脂等の合成樹脂材料、更には人工皮革又は天然皮革等の皮革材料を用いて上述した貴金属材料又は貴金属メッキを施した金属材料と同様に形成することもできる。
【００１５】
すなわち、ネクタイ用の装飾装着具１は、図４に示すようなネクタイ１０の結び目部分１１に該当する位置の正面外周の大部分を覆い、ネクタイ１０の垂下部分１２が挿通可能な開口３を下部に有する正面包囲部２ａと、ネクタイ１０の結び目部分１１に該当する位置の両側部１１ａ、１１ｂを覆いこの両側部１１ａ、１１ｂが各々挿通可能な両側開口４ａ、４ｂを有する両側包囲部２ｂ、２ｃと、ネクタイ１０の結び目部分に該当する位置の上部を覆う裏側に向けてＵ状に湾曲形成した上部包囲部２ｄとを一体に具備している。
【００１６】
前記正面包囲部２ａは、その両側に正面から裏側に向けて対称配置に湾曲形成した正面湾曲片２ａ’、２ａ’を有し、これにより、結び目部分１１に該当する位置の正面はもちろん、前記両側開口４ａ、４ｂの下側部分を占めるネクタイ生地（結び目部分１１の側面）部分をも体裁よく覆うように構成している。
【００１７】
本実施例のネクタイ用の装飾装着具１は、図４に示すように、ネクタイ１０の結び目部分１１に該当する位置に対して正面側から装着することで、図５に示すように、この結び目部分１１の全体を体裁よく内部に納め、且つ、ネクタイ装飾装着具１自体の材質の特性、すなわち、貴金属材料又は貴金属メッキを施した金属材料、更には光沢のあるステンレス等の金属材料の特性によって、ネクタイ着用状態での装飾的、アクセサリー的効果をも発揮させることができる。
そして、ネクタイ１０の着用者がネクタイ１０の結び目部分１１を形成するか否かを問わず、仮にネクタイ１０の着用者がネクタイ１０の結び目部分１１を形成しないような場合であっても、ネクタイ１０の結び目部分１１の該当位置を体裁よく内部に納め、且つ、装飾的、アクセサリー的効果をも発揮させることができる。
【００１８】
この場合、正面包囲部２ａの開口３にネクタイ１０の垂下部分１２が挿通された状態となり、両側包囲部２ｂ、２ｃの両側開口４ａ、４ｂにネクタイ１０の両側部１１ａ、１１ｂが各々挿通され、更に前記正面湾曲片２ａ’、２ａ’が結び目部分１１に該当する位置の側面部分を覆い、前記上部包囲部２ｄが結び目部分１１に該当する位置の上部を覆うことから、このネクタイ装飾装着具１によってネクタイ１０の結び目部分１１に該当する位置の略全体を体裁よく覆う状態とすることができる。
この結果、ネクタイ１０の装着者を正面から見た場合はもちろん、斜め前方や側方から見た場合にも結び目部分１１自体が見えることはなく、この点からもネクタイ着用状態での装飾的、アクセサリー的効果を十分発揮させることができる。
【００１９】
図６は本実施例の変形例のネクタイ用の装飾装着具１Ａを示すものであり、このネクタイ装飾装着具１Ａは、ネクタイ装飾装着具１の構成に加えて、正面包囲部２ａの任意の位置、例えば中央に、真珠、ダイヤ等の装飾付加具５を取り付けたことが特徴である。
【００２０】
このネクタイ用の装飾装着具１Ａによれば、ネクタイ装飾装着具１と同様な効果を発揮するとともに、正面包囲部２ａによる装飾効果と真珠等の装飾付加具５の装飾効果とが相乗され、一層装飾的、アクセサリー的効果を高めることが可能となる。
【００２１】
図７は、正面包囲部２ａに例えば木目部分５を表出させ、装飾的、アクセサリー的効果を高めた木製材料からなるネクタイ用の装飾装着具１Ｂを示すものである。この他、合成樹脂材料、皮革材料によりネクタイ装飾装着具を構成する場合も、各々適宜の凹凸、模様等の装飾を施すことで、装飾的、アクセサリー的効果を高めることが可能となる。
【産業上の利用可能性】
【００２２】
本考案は、上述した場合の他、例えばスカーフ、マフラー等を布材を首の回りに巻き付けて装用する際にも適用可能である。
【図面の簡単な説明】
【００２３】
【図１】本考案の実施例のネクタイ用の装飾装着具の正面図である。
【図２】本考案の実施例のネクタイ用の装飾装着具の側面図である。
【図３】本考案の実施例のネクタイ用の装飾装着具の背面図である。
【図４】本考案の実施例のネクタイ用の装飾装着具の結び目に対する装着状態を示す斜視図である。
【図５】本考案の実施例のネクタイ用の装飾装着具の結び目に対する装着完了状態を示す斜視図である。
【図６】本考案の実施例の変形例のネクタイ用の装飾装着具の正面図である。
【図７】正面包囲部に木目部分を表出させたネクタイ装飾装着具を示す正面図である。
【符号の説明】
【００２４】
１    ネクタイ用の装飾装着具
１Ａ  ネクタイ用の装飾装着具
２ａ  正面包囲部
２ａ’正面湾曲片
２ｂ  側包囲部
２ｃ  側包囲部
２ｄ  上部包囲部
３    開口
４ａ、４ｂ  側開口
１０    ネクタイ
１１    結び目部分
１１ａ  側部
１２    垂下部分
【図１】
0003102673.tif 000003
【図２】
0003102673.tif 000004
【図３】
0003102673.tif 000005
【図４】
0003102673.tif 000006
【図５】
0003102673.tif 000007
【図６】
0003102673.tif 000008
【図７】
0003102673.tif 000009